Podtech/llm-jp-corpus-v4-ja_patent huggingface dataset:
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
カルシウム化合物へのコーティング組成物が1以上の水溶性物質および1以上のポリマー物質を含み、該水溶性物質およびポリマー物質が溶媒中に溶解または分散されたコーティング組成物を、カルシウム含有化合物に適用すること含む、少なくとも部分的にフィルムコーティングおよび／または粒状化されたカルシウム含有化合物の製造方法。
【請求項２】
溶媒が水性溶媒または有機溶媒である、請求項1に記載の方法。
【請求項３】
溶媒が水性溶媒である、請求項2に記載の方法。
【請求項４】
ポリマー物質が結合性を有する、請求項1〜3のいずれか1つに記載の方法。
【請求項５】
ポリマー物質が水溶性である、請求項1〜4のいずれか1つに記載の方法。
【請求項６】
1以上の水溶性物質が、ポリオールおよび炭水化物からなる群から選択される、請求項1〜5のいずれか1つに記載の方法。
【請求項７】
ポリオールが、キシリトール、ソルビトール、マンニトール、マルチトール、ラクチトール、エリトリトール、イノシトール、イソマルト、イソマルチュロースおよびそれらの混合物からなる群から選択される糖アルコールである、請求項6に記載の方法。
【請求項８】
炭水化物が、グルコース、マンノース、フルクトース、ガラクトースおよびそれらの混合物からなる群から選択されるモノサッカライド、および／または乳糖、マルトース、ショ糖、トレハロース、タガトースおよびそれらの混合物からなる群から選択されるジサッカライド、および／またはオリゴフルクトース、シクロデキストリン、マルトデキストリンおよびそれらの混合物からなる群から選択されるオリゴサッカライドもしくはポリサッカライドを含む、モノ-、ジサッカライド、オリゴサッカライド、ポリサッカライド、およびそれらの混合物からなる群から選択される、請求項6に記載の方法。
【請求項９】
ポリマー物質が、K-90、K-30、K-25、K-17およびK-12を含むポビドン；コポビドン；ポリエチレングリコール-ポリビニルアルコール；寒天；ゼラチン；アラビアゴム；アルギン酸ナトリウムおよびアルギン酸プロピレングリコールを含むアルギナート；馬鈴薯澱粉、トウモロコシ澱粉、コメ澱粉、α化澱粉を含む澱粉または化工澱粉；イヌリン、ポリデキストロース、デキストリン、マルトデキストリンを含む炭水化物；カルボキシルメチルセルロースナトリウム、ヒドロキシプロピルセルロース、ヒドロキシプロピルメチルセルロース(HPMC)、微晶質セルロース、低置換ヒドロキシプロピルセルロースのようなセルロース誘導体を含むセルロースおよびセルロース誘導体、ならびにそれらの混合物からなる群から選択される、請求項1〜8のいずれか1つ記載の方法。
【請求項１０】
カルシウム含有化合物が、炭酸カルシウム、クエン酸カルシウム、乳酸カルシウム、リン酸三カルシウムを含むリン酸カルシウム、グルコン酸カルシウム、ビスグリシノカルシウム、クエン酸マレエートカルシウム、溶媒和物を含むヒドロキシアパタイト、およびそれらの混合物からなる群から選択される、請求項1〜9のいずれか1つに記載の方法。
【請求項１１】
カルシウム含有化合物が炭酸カルシウムである、請求項1〜10のいずれか1つに記載の方法。
【請求項１２】
コーティングおよび／または造粒組成物が流動床の使用により適用される、請求項1〜11のいずれか1つに記載の方法。
【請求項１３】
請求項1〜12のいずれか1つで定義されたようにして得ることができる、少なくとも部分的にコーティングまたは粒状化されたカルシウム含有化合物。
【請求項１４】
請求項1〜12のいずれか1つで定義されたようにして得ることができる、少なくとも部分的にコーティングまたは粒状化されたカルシウム含有化合物を含む医薬組成物または栄養剤組成物。
【請求項１５】
粒子および／または結晶の形態にあるカルシウム含有化合物に1以上の水溶性物質およびポリマー物質を含むコーティング組成物または造粒組成物を適用して、請求項1〜14のいずれか1つで定義された少なくとも部分的にフィルムコーティングおよび／または粒状化されたカルシウム含有化合物または医薬組成物もしくは栄養剤組成物を得ることを含む、カルシウム含有化合物の官能性を改善する方法。
【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
ＡＣＥ阻害ジカルボン酸と少なくとも１種の有機アミンとの少なくとも１種の塩を活性成分として含み、前記塩のＡＣＥ阻害ジカルボン酸：アミンのモル比が（１）：（２未満）である、経皮治療システム。
【請求項２】
前記有機アミンがモノアミンである、請求項１に記載の経皮治療システム。
【請求項３】
前記有機アミンが第一級アミン、第二級アミン又は第三級アミンである、請求項１又は２に記載の経皮治療システム。
【請求項４】
イミダプリル、フォシノプリル、モエキシプリル、ペリンドプリル、スピラプリル、ベナゼプリル、シラザプリル、リシノプリル、キナプリル、エナラプリル、デラプリル、ラミプリル及びトランドラプリルのジカルボン酸からなる群から選択されるＡＣＥ阻害ジカルボン酸の少なくとも１種の塩を含む、請求項１〜３の少なくとも１項に記載の経皮治療システム。
【請求項５】
活性成分を透過しない上層、
１以上の活性成分含有自己粘着性マトリックス層、及び
剥離性保護層、
を有する、請求項１〜４の少なくとも１項に記載の経皮治療システム。
【請求項６】
活性成分を透過しない上層、
塗布面に接触接着剤層を有する１以上の活性成分含有マトリックス層、及び
剥離性保護層、
を有する、請求項１〜５の少なくとも１項に記載の経皮治療システム。
【請求項７】
前記活性成分又は複数の活性成分が、前記マトリックス内に溶解及び／又は前記マトリックス内にエマルションの液滴のかたちで存在している、請求項１〜６の少なくとも１項に記載の経皮治療システム。
【請求項８】
前記ＡＣＥ阻害ジカルボン酸の含有量が、前記マトリックスの重量を基準にして２〜３５重量％である、前記請求項１〜７の少なくとも１項に記載の経皮治療システム。
【請求項９】
ポリウレタン、ポリイソブチレン、ポリビニルエーテル、ポリアクリレート、シリコーン、スチレンブロック共重合体又はそれらの混合物に基づく感圧接着剤を有する、請求項１〜８のいずれか１項に記載の経皮治療システム。
【請求項１０】
ポリアクリレート、ポリイソブチレン、シリコーン、スチレンブロック共重合体及びそれらの混合物からなる群から選択されるマトリックス形成材料を有する、請求項１〜９のいずれか１項に記載の経皮治療システム。
【請求項１１】
ホモポリマー、コポリマー又はターポリマーであってもよいポリアクリレートに基づく接触接着剤及び／又はマトリックスを有する、請求項１〜１０のいずれか１項に記載の経皮治療システム。
【請求項１２】
以下で形成される群から選択される透過促進剤を有する、請求項１〜１１のいずれか１項に記載の経皮治療システム。
各々８〜１８個の炭素原子を有する飽和及び／又は不飽和脂肪族アルコール；
ティーツリー油；
飽和及び／又は不飽和環状ケトン；
アルキルメチルスルホキシド；
各々８〜１８個の炭素原子を有する飽和及び／又は不飽和脂肪酸；
各々８〜１８個の炭素原子を有する飽和及び／又は不飽和脂肪酸のエステル；
各々８〜１８個の炭素原子を有する飽和及び／又は不飽和脂肪酸の塩；
天然ビタミンＥ；
合成ビタミンＥ及び／又はビタミンＥ誘導体；
ソルビタン脂肪酸エステル；
エトキシ化ソルビタン脂肪酸エステル；
アゾン、特にラウロカプラム；
１−アルキルピロリドン；
片末端にカチオン基を有するジメチルシロキサンとポリエチレングリコールのブロック共重合体；
ポリオキシエチレン−１０ステアリルエーテル；
ポリオキシエチレン−１０ステアリルエーテルとグリセリルジラウレートの混合物；
ドデシル２−（Ｎ，Ｎ−ジメチルアミノ）−プロパノールテトラデカノエート及び／又はドデシル２−（Ｎ，Ｎ−ジメチルアミノ）プロピオネート；
８個を超える炭素原子を有するＮ−アセチルプロリナートエステル（Ｎ−アセチル−ピロリドン−２−カルボン酸エステル）；
非イオン界面活性剤、特にラウリルエーテル；
ポリオキシエチレンのエステル；
ジメチル（アリールイミノ）スルフラン；
オレイン酸類似体とプロピレングリコールの混合物；
パジメート  ０、サリチル酸オクチル、ミリスチン酸イソプロピル、パルミチン酸イソプロピル、メトキシケイ皮酸オクチル、ラウロカプラムの混合物；
高分散二酸化ケイ素（Aerosil（登録商標））；
ポリオキシエチレン−７−グリセリンモノココエート（Cetiol（登録商標）HE）；
２−オクチルドデカノール（Eutanol（登録商標）G）；及び
それらの混合物。
【請求項１３】
前記自己粘着性マトリックスにおける接着剤の含有量が、いずれの場合にもマトリックスの重量を基準にして、２０〜９０重量％、好ましくは３０〜８０重量％、特に好ましくは４０〜６０重量％であり、残部が活性成分、任意選択で透過促進剤、任意選択で充填剤である、請求項１〜１２のいずれか１項に記載の経皮治療システム。
【請求項１４】
請求項１〜１３のいずれか１項に記載の経皮治療システムの作成方法であって、
（ａ）前記有機アミンと前記ＡＣＥ阻害ジカルボン酸をマトリックス溶液又は懸濁液に添加し、
（ｂ）前記有機アミン塩を前記マトリックス溶液又は懸濁液内でin situ形成すること
を含む方法。
【請求項１５】
請求項１〜１３のいずれか１項に記載の経皮治療システムの作成方法であって、前記ＡＣＥ阻害ジカルボン酸のアミン塩を前記マトリックスに直接導入する方法。
【手続補正２】
【補正対象書類名】明細書
【補正対象項目名】００９７
【補正方法】変更
【補正の内容】
【００９７】
また、自己粘着性マトリックスを含む本発明に係る経皮治療システムは、以下のように構成することができる。最上層は、活性成分を透過しない上層である。次いで活性成分及び任意選択で透過促進剤及び／又は充填剤を含む自己粘着性マトリックス層が続く。その場合、マトリックス形成材料は接着剤である。剥離性保護層が最後の層である。
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
式（４）の化合物
【化１】
2009518337.tif 000001
（式中、
Ｒ１は、−ＣＮ、−ＣＦ３、−ＣＨＦ２、Ｆ及びＣｌから成る群から選択され、
Ｒ２は、Ｆ及びＣｌから成る群から選択され、
Ｒ３は、Ｈである）
及び薬剤として許容されるその塩、又は
式（５）の化合物
【化２】
2009518337.tif 000002
（式中、
Ｒ１は、−ＣＮ、−ＣＦ３、−ＣＨＦ２、Ｆ及びＣｌから成る群から選択され、
Ｒ２は、Ｆ及びＣｌから成る群から選択される）
及び薬剤として許容されるその塩、又は
式（６）の化合物
【化３】
2009518337.tif 000003
（式中、
Ｒ１は、−Ｆ及びＣｌから成る群から選択され、
Ｒ２は、Ｆから成る群から選択される）
及び薬剤として許容されるその塩
［但し、
上記式（４）では、
Ｒ１及びＲ２は、Ｒ３がＨである場合は同時にＦであることはなく、
Ｒ１及びＲ２は、Ｒ３がＨである場合は同時にＣｌであることはなく、
Ｒ１は、Ｒ２がＦであり、Ｒ３がＨである場合は−ＣＮではなく、
Ｒ１は、Ｒ２がＣｌであり、Ｒ３がＨである場合は−ＣＮではなく、
Ｒ１は、Ｒ２がＦであり、Ｒ３がＨである場合はＣｌではなく、
上記式（５）では、
Ｒ１及びＲ２は、同時にＦであることはなく、
Ｒ１及びＲ２は、同時にＣｌであることはなく、
Ｒ１は、Ｒ２がＣｌである場合は−ＣＦ３ではなく、
Ｒ１は、Ｒ２がＣｌである場合はＦではなく、
上記式（６）では、
Ｒ１及びＲ２は、同時にＦであることはない］。
【請求項２】
Ｒ１がＦ又はＣｌである、請求項１に記載の化合物。
【請求項３】
Ｒ１がＦである、請求項１又は２に記載の化合物。
【請求項４】
Ｒ２がＦ又はＣｌである、請求項１から３までのいずれか一項に記載の化合物。
【請求項５】
Ｒ２がＦである、請求項１から４までのいずれか一項に記載の化合物。
【請求項６】
４−（３−クロロ−５−フルオロフェニル）ピペリジン
４−（３−クロロ−４−フルオロフェニル）ピペリジン
４−（４−クロロ−２−フルオロフェニル）ピペリジン
２−フルオロ−５−ピペリジン−４−イル−ベンゾニトリル
２−クロロ−５−ピペリジン−４−イル−ベンゾニトリル
４−［３−（ジフルオロメチル）−４−フルオロフェニル］ピペリジン
４−［４−クロロ−３−（ジフルオロメチル）フェニル］ピペリジン
４−［２−（ジフルオロメチル）−４−フルオロフェニル］ピペリジン
４−［４−クロロ−２−（ジフルオロメチル）フェニル］ピペリジン
４−［４−フルオロ−２−（トリフルオロメチル）フェニル］−ピペリジン
４−［４−クロロ−２−（トリフルオロメチル）フェニル］−ピペリジン
４−［４−フルオロ−３−（トリフルオロメチル）フェニル］−ピペリジン
から成る群から選択される、請求項１に記載の化合物。
【請求項７】
医薬品として使用するための、請求項１から６までのいずれか一項に記載の化合物。
【請求項８】
式（４）の化合物
【化４】
2009518337.tif 000004
（式中、
Ｒ１は、−ＣＮ、−ＣＦ３、−ＣＨＦ２、Ｆ及びＣｌから成る群から選択され、
Ｒ２は、Ｆ及びＣｌから成る群から選択され、
Ｒ３は、Ｈである）
及び薬剤として許容されるその塩、又は
式（５）の化合物
【化５】
2009518337.tif 000005
（式中、
Ｒ１は、−ＣＮ、−ＣＦ３、−ＣＨＦ２、Ｆ及びＣｌから成る群から選択され、
Ｒ２は、Ｆ及びＣｌから成る群から選択される）
及び薬剤として許容されるその塩、又は
式（６）の化合物
【化６】
2009518337.tif 000006
（式中、
Ｒ１は、−Ｆ及びＣｌから成る群から選択され、
Ｒ２は、Ｆから成る群から選択される）
及び薬剤として許容されるその塩を含む、中枢神経系の障害の治療のための医薬品。
【請求項９】
Ｒ１がＦ又はＣｌである、請求項８に記載の医薬品。
【請求項１０】
Ｒ１がＦである、請求項８又は９に記載の医薬品。
【請求項１１】
Ｒ２がＦ又はＣｌである、請求項８から１０までのいずれか一項に記載の医薬品。
【請求項１２】
Ｒ２がＦである、請求項８から１１までのいずれか一項に記載の医薬品。
【請求項１３】
化合物が、
４−（３，５−ジフルオロフェニル）ピペリジン
４−（３，４−ジフルオロフェニル）ピペリジン
４−（３，４−ジクロロフェニル）ピペリジン
４−（４−クロロ−３−フルオロフェニル）ピペリジン
４−（２，４−ジフルオロフェニル）ピペリジン
４−（２，４−ジクロロフェニル）ピペリジン
４−（２−クロロ−４−フルオロフェニル）ピペリジン
５−フルオロ−２−ピペリジン−４−イル−ベンゾニトリル
５−クロロ−２−ピペリジン−４−イル−ベンゾニトリル
４−［４−クロロ−３−（トリフルオロメチル）フェニル］−ピペリジン
から成る群から選択される、請求項８に記載の医薬品。
【請求項１４】
請求項１から７までのいずれか一項に記載の化合物及び薬剤として許容されるその塩を含む、中枢神経系の障害の治療のための医薬品。
【請求項１５】
中枢神経系の障害が精神障害である、請求項８から１４までのいずれか一項に記載の医薬品。
【請求項１６】
中枢神経系の障害が、認知障害、例えば、神経変性障害（例えば、認知症及び加齢性認知機能障害）又は発達障害（例えば、自閉症スペクトル障害、ＡＤＨＤ、脳性麻痺、ジル・ドラ・トゥレット症候群）又は統合失調症の中核症状の一部として生じる認知障害等である、請求項８から１４までのいずれか一項に記載の医薬品。
【請求項１７】
中枢神経系の障害が、統合失調症及び統合失調症様障害である、請求項８から１４までのいずれか一項に記載の医薬品。
【請求項１８】
中枢神経系の障害が、情動障害、例えば、抑鬱又は双極性障害等である、請求項８から１４までのいずれか一項に記載の医薬品。
【請求項１９】
中枢神経系の障害が、不安障害、例えば、全般性不安障害（ＧＡＤ）、特異的恐怖症又はパニック障害（ＰＤ）である、請求項８から１４までのいずれか一項に記載の医薬品。
【請求項２０】
中枢神経系の障害が睡眠障害である、請求項８から１４までのいずれか一項に記載の医薬品。
【請求項２１】
請求項１から７までのいずれか一項に記載の化合物及び１つ又は複数の薬剤として許容される担体又は希釈剤を含む薬剤組成物。
【請求項２２】
中枢神経系の障害の治療のための、請求項２１に記載の薬剤組成物。
【請求項２３】
請求項１４から２０までのいずれか一項に記載の障害の治療のための、請求項２１又は２２に記載の薬剤組成物。
【手続補正書】
【提出日】平成21年12月2日(2009.12.2)
【手続補正１】
【補正対象書類名】明細書
【補正対象項目名】００２３
【補正方法】変更
【補正の内容】
【００２３】
Ｎ−モノ−またはＮ,Ｎ−ジ−置換カルバモイルは、とりわけ低級アルキル、フェニル−低級アルキルおよびヒドロキシ−低級アルキル、または低級アルキレン、オキサ−低級アルキレンまたはアザ−低級アルキレン(所望により末端窒素原子を置換されている)から独立して選択される１個または２個の置換基で置換されている。
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
第１電極と、
少なくとも前記第１電極と相互接続可能な電源と、
前記第１電極と組織との間の高結合状態を識別するように構成された結合評価モジュールと
を備える、医療システム。
【請求項２】
前記結合評価モジュールが、リアクタンスを少なくとも１つのリアクタンスベンチマーク値と比較することにより前記高結合状態を識別するように構成される、請求項１に記載の医療システム。
【請求項３】
前記高結合状態が、リアクタンスが所定の負のリアクタンス値を下回る場合に存在する、請求項１に記載の医療システム。
【請求項４】
前記結合評価モジュールが、位相角を少なくとも１つの位相角ベンチマーク値と比較することにより前記高結合状態を識別するように構成される、請求項１に記載の医療システム。
【請求項５】
前記高結合状態が、位相角が所定の負の位相角値を下回る場合に存在する、請求項１に記載の医療システム。
【請求項６】
前記結合評価モジュールが、位相角が事前設定値を有する周波数を少なくとも１つのベンチマーク周波数値と比較することにより前記高結合状態を識別するように構成される、請求項１に記載の医療システム。
【請求項７】
前記高結合状態が、位相角が事前設定値を有する周波数が所定周波数値を上回る場合に存在する、請求項１に記載の医療システム。
【請求項８】
前記結合評価モジュールが、リアクタンスが事前設定値を有する周波数を少なくとも１つのベンチマーク周波数値と比較することにより前記高結合状態を識別するように構成される、請求項１に記載の医療システム。
【請求項９】
前記高結合状態が、リアクタンスが事前設定値を有する周波数が所定周波数値を上回る場合に存在する、請求項１に記載の医療システム。
【請求項１０】
前記結合評価モジュールに動作可能に相互接続される高結合状態指示器をさらに備える、請求項１に記載の医療システム。
【請求項１１】
戻り電極をさらに備え、前記第１電極および前記戻り電極が異なるカテーテルに関連する、請求項１に記載の医療システム。
【請求項１２】
前記第１電極および前記戻り電極が共通の心腔内に配置可能である、請求項１１に記載の医療システム。
【請求項１３】
前記戻り電極が前記第１電極より広い表面積を有する、請求項１１に記載の医療システム。
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
一般式：
Ｒ２−［Ａ］ｍ−Ｒ３−［Ａ］ｍ−Ｒ２      （ＩＩＩ）
であって、式中、Ａはラクチド、グリコリド、ε−カプロラクトン、炭酸トリメチレン、ｐ−ジオキサノン、無水物、リン酸エステルおよびこれらの組み合わせからなる群より選択される生体吸収性基であり、Ｒ３はポリエチレングリコール、Ｒ２はイソシアネート基およびｍは約１〜約６の数である、ジイソシアネート官能性生体吸収性ポリマーを含む生体吸収性マクロマー組成物。
【請求項２】
一般式：
Ｒ２−［Ａ］ｖ−Ｒ１−［Ａ］ｖ−Ｒ２      （ＩＩ）
であって、式中、Ｒ１は多糖およびポリオールからなる群より選択されるポリマーであり、Ａは生体吸収性基であり、Ｒ２はイソシアネート基でありおよびｖは約１〜約２０の数であるジイソシアネート官能性生体吸収性ポリマー；および少なくとも１つの官能性ポリオール；を含む生体吸収性マクロマー組成物。
【請求項３】
前記ジイソシアネート官能性生体吸収性ポリマーのポリオールが、ポリエチレンオキシド、ポリエチレングリコール、ポリプロピレングリコール、ポリエチレンオキシド−ポリプロピレンオキシド共重合体、ポリエチレングリコール−アジピン酸塩、ポリエチレングリコール−ポリプロピレングリコール共重合体およびこれらの組み合わせからなる群より選択される、請求項２に記載の生体吸収性マクロマー組成物。
【請求項４】
前記ジイソシアネート官能性生体吸収性ポリマーのポリオールが、ポリエチレングリコールを含む、請求項２に記載の生体吸収性マクロマー組成物。
【請求項５】
前記ジイソシアネート官能性生体吸収性ポリマーの多糖が、ソルビトール、マンニトール、スクロース、デキストランおよびシクロデキストリンからなる群より選択される、請求項２に記載の生体吸収性マクロマー組成物。
【請求項６】
前記ジイソシアネート官能性生体吸収性ポリマーの生体吸収性基が、乳酸、グリコール酸、グリコリド、ラクチド、ε−カプロラクトン、炭酸トリメチレン、１，４−ジオキサン−２−オン、１，３−ジオキサン−２−オン、コハク酸（ｓｕｃｃｉｎｎｉｃ  ａｃｉｄ）、アジピン酸、セバシン酸、マロン酸、グルタル酸、アゼライン酸、ジクロロリン酸エチル、セバシン酸無水物、アゼライン酸無水物およびこれらの組み合わせからなる群より選択される、請求項２に記載の生体吸収性マクロマー組成物。
【請求項７】
前記ジイソシアネート官能性生体吸収性ポリマーの生体吸収性基が、ラクチド、グリコリド、ε−カプロラクトン、ｐ−ジオキサノン、炭酸トリメチレンおよびこれらの組み合わせからなる群より選択される、請求項２に記載の生体吸収性マクロマー組成物。
【請求項８】
ｖが、約１〜約６の数である、請求項２に記載の生体吸収性マクロマー組成物。
【請求項９】
前記官能性ポリオールが、ポリエーテルをベースとしたポリオール、ポリカプロラクトンをベースとしたポリオールおよび多価アルコールからなる群より選択される、請求項２に記載の生体吸収性マクロマー組成物。
【請求項１０】
前記官能性ポリオールが、ポリカプロラクトントリオール、トリメチロールプロパンおよびグリセリンからなる群より選択される、請求項９に記載の生体吸収性マクロマー組成物。
【請求項１１】
前記官能性ポリオールが、ジイソシアネート官能基を保有する、請求項２に記載の生体吸収性マクロマー組成物。
【請求項１２】
前記官能性ポリオールが、トルエンジイソシアネート、４，４’−ジフェニルメタンジイソシアネート、４，４’−オキシビス（フェニルイソシアネート）、２，４，６−トリメチル−１−、３−フェニレンジイソシアネート、トリメチルヘキサンジイソシアネート、１，６−ヘキサメチレンジイソシアネートおよびイソホロンジイソシアネートからなる群より選択される、ジイソシアネート官能基を保有する、請求項１２に記載の生体吸収性マクロマー組成物。
【請求項１３】
前記官能性ポリオールが式
【化１】
2009518129.tif 000001
であって、式中、Ｒ５はジイソシアネートであり、Ｒ６はポリエチレングリコールあり、ａ、ｂおよびｃは０を含むいずれもの整数でよく、該官能性ポリオールが、約２００〜約６，０００の平均分子量を有する、請求項２に記載の生体吸収性マクロマー組成物。
【請求項１４】
前記官能性ポリオールが、メトキシポリエチレングリコールで官能化したソルビトールを含む、請求項９に記載の生体吸収性マクロマー組成物。
【請求項１５】
前記官能性ポリオールが、乳酸、グリコール酸、グリコリド、ラクチド、ε−カプロラクトン、炭酸トリメチレン、１，４−ジオキサン−２−オン、１，３−ジオキサン−２−オン、コハク酸（ｓｕｃｃｉｎｎｉｃ  ａｃｉｄ）、アジピン酸、セバシン酸、マロン酸、グルタル酸、アゼライン酸、ジクロロリン酸エチル、セバシン酸無水物、アゼライン酸無水物およびこれらの組み合わせからなる群より選択される、生体吸収性基を保有する、請求項９に記載の生体吸収性マクロマー組成物。
【請求項１６】
前記官能性ポリオールが、式
Ｒ７−［（Ｒ８）ｎ−Ｒ９］ｄ      （ＶＩＩ）
であって、式中、Ｒ７はポリオールであり、Ｒ８は生体吸収性基であり、Ｒ９はイソシアネート基であり、ｎは約１〜約１０の数でありおよびｄは約２〜約４の数である、請求項９に記載の生体吸収性マクロマー組成物。
【請求項１７】
前記ポリオールがソルビトールを含み、前記生体吸収性基がラクチドを含み、そして前記生体吸収性マクロマー組成物が、生物学的に活性な因子、薬剤および酵素からなる群より選択される成分をさらに含む、請求項１６に記載の生体吸収性マクロマー組成物。
【請求項１８】
創傷を閉鎖するための請求項２に記載の生体吸収性マクロマー組成物であって、該組成物は、該創傷に適用されて硬化し、それによって該創傷を閉鎖することを特徴とする、組成物。
【請求項１９】
前記創傷が、外科的切開である、請求項１８に記載の組成物。
【請求項２０】
動物組織の空隙を充填するための請求項２に記載の生体吸収性マクロマー組成物であって、該組成物は、該空隙に適用されて硬化し、それによって該空隙を充填することを特徴とする、組成物。
【請求項２１】
動物組織の表面へ医療機器を接着するための請求項２に記載の生体吸収性マクロマー組成物であって、該組成物は、該機器、該表面またはそれらの両方に適用され、そして該機器、生体吸収性マクロマー組成物および表面が互いに接触され、そして該生体吸収性マクロマー組成物が硬化され、それによって該機器と表面とを互いに接着することを特徴とする、組成物。
【請求項２２】
前記医療機器が、インプラントである、請求項２１に記載の組成物。
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
生体適合性の合成マクロマー組成物であって、
構造
Ｒ”−［Ｒ１−Ｘ］ｎ  （ＶＩＩ）
を有する第１のポリマーであって、式中、Ｒ”は多糖類およびポリオール類からなる群から選択され、Ｒ１はポリ（ヒドロキシ）酸であり、Ｘは、エポキシ、ハロゲン、イソシアナート、クロロホスファート類、酸無水物類、およびそれらの組合せからなる群から選択される官能基であり、ｎは１〜１０の数である、第１のポリマー；および
構造
（Ｒ４）ｍ−（（Ｙ）ｐ−Ｄ−（Ｙ）ｐ）２−（Ｒ５）ｍ  （ＩＸ）
を有する官能化ポリウレタンプレポリマーを含む第２のポリマーであって、式中、Ｙはポリマーバックボーンであり、Ｄは分解性または非分解性架橋基であり、Ｒ４およびＲ５は同じでも異なってもよく、ＮＣＯ、ＣＨＯ、およびＣＯＯＨからなる群から選択され、ｍは約１〜約５０の数であり、ｐは約１〜約３０の数であり、ｚは約２〜約２０の数である、第２のポリマー
を含む、生体適合性の合成マクロマー組成物。
【請求項２】
前記第１のポリマーに存在するＸ基が同じである、請求項１に記載の生体適合性の合成マクロマー組成物。
【請求項３】
前記第１のポリマーに存在するＸ基が異なる、請求項１に記載の生体適合性の合成マクロマー組成物。
【請求項４】
Ｒ”がポリエチレングリコールを含む、請求項１に記載の生体適合性の合成マクロマー組成物。
【請求項５】
Ｒ”がメトキシポリエチレングリコールを含む、請求項１に記載の生体適合性の合成マクロマー組成物。
【請求項６】
Ｒ４とＲ５が同じである、請求項１に記載の生体適合性の合成マクロマー組成物。
【請求項７】
Ｒ４とＲ５が異なる、請求項１に記載の生体適合性の合成マクロマー組成物。
【請求項８】
Ｙがポリアルキレンオキシドを含む、請求項１に記載の生体適合性の合成マクロマー組成物。
【請求項９】
Ｙがポリエチレングリコールを含む、請求項８に記載の生体適合性の合成マクロマー組成物。
【請求項１０】
Ｄが、シクロデキストリン、ソルビトール、ポリフェノール、およびポリグリセロールからなる群から選択される、請求項１に記載の生体適合性の合成マクロマー組成物。
【請求項１１】
さらに、アミン架橋剤を含む、請求項１に記載の生体適合性の合成マクロマー組成物。
【請求項１２】
前記アミン架橋剤が、ジアミン類、芳香族アミン類、ポリアミン類、およびポリアミドアミン類からなる群から選択される、請求項１１に記載の生体適合性の合成マクロマー組成物。
【請求項１３】
さらに、生物学的に活性な物質および薬用物質からなる群から選択される成分を含む、請求項１に記載の生体適合性の合成マクロマー組成物。
【請求項１４】
さらに、酵素を含み、該酵素が前記生体適合性の合成マクロマー組成物の分解速度を上昇させる、請求項１に記載の生体適合性の合成マクロマー組成物。
【請求項１５】
創傷を閉鎖するための組成物であって、
請求項１に記載の生体適合性の合成マクロマー組成物を含み、該生体適合性の合成マクロマー組成物が該創傷に塗布され、そして硬化させて、それによって該創傷を閉鎖する、組成物。
【請求項１６】
前記創傷が外科的切開である、請求項１５に記載の組成物。
【請求項１７】
動物の組織の空隙を充填するための組成物であって、
請求項１に記載の生体適合性の合成マクロマー組成物を含み、該生体適合性の合成マクロマー組成物が該空隙に適用され、そして硬化させて、それによって該空隙を充填する、組成物。
【請求項１８】
医療装置を動物の組織の表面に接着するための組成物であって、
請求項１に記載の生体適合性の合成マクロマー組成物を含み、該生体適合性の合成マクロマー組成物が該装置、該表面、または両方に塗布され、そして該装置、該生体適合性の合成マクロマー、および該表面が互いに接触され、そして該生体適合性の合成マクロマー組成物を硬化させて、それによって該装置と該表面を互いに接着させる組成物。
【請求項１９】
前記医療装置がインプラントである、請求項１８に記載の組成物。
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
基材表面を有する基材；並びに
基材表面に隣接して配置される銀イオン放出クロモニック物質を含む生物学的活性物品であって、銀イオン放出クロモニック物質は、クロモニック化合物及び銀イオン供給源を含む生物学的活性物品。
【請求項２】
生物学的活性物品の形成方法であって、
基材表面を有する基材を準備し；
水溶液中で銀塩とクロモニック化合物を組み合わせて、水性銀クロモニック溶液を形成し；
前記銀クロモニック溶液を前記基材表面に隣接して配置して、コーティングされた基材を形成し；及び
コーティングされた前記基材から水を除去して、銀イオン放出クロモニック層を形成することを含む方法。
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
カテーテルと、
前記カテーテルに配置されかつ電気エネルギーを印加するように構成された電極と、
前記電極が標的組織に近づく際に前記電極と接地との間のインピーダンスを測定するように構成された測定回路と、
特定の瞬間において、少なくとも部分的に、血液において確定された基線値に対する前記測定回路によって測定されたインピーダンスに基づいて、前記標的組織に対し結合状態を確定するプロセッサと
を備える、結合検知システム。
【請求項２】
前記電極と標的組織との間の結合が電気的結合である、請求項１に記載のシステム。
【請求項３】
電気的結合により、電気エネルギーが前記電極から前記標的組織に渡ることが可能となる、請求項２に記載のシステム。
【請求項４】
前記電極から前記標的組織に渡る電気エネルギーが、切除中に損傷を形成するために十分である、請求項２に記載のシステム。
【請求項５】
結合のレベルが、前記測定されたインピーダンスのリアクタンスに直接対応する、請求項１に記載のシステム。
【請求項６】
ゼロ（０）に近づくリアクタンスが、接触がほとんどないかまったくないことを示す、請求項５に記載のシステム。
【請求項７】
次第に負になるリアクタンスが、電極・組織結合の増大を示す、請求項５に記載のシステム。
【請求項８】
結合のレベルが、前記測定されたインピーダンスの位相角に直接対応する、請求項１に記載のシステム。
【請求項９】
ゼロ（０）に近づく位相角が、接触がほとんどないかまったくないことを示す、請求項８に記載のシステム。
【請求項１０】
次第に負になる位相角が、電極・組織結合の増大を示す、請求項８に記載のシステム。
【請求項１１】
前記電極と標的組織との間の結合が機械的接触である、請求項１に記載のシステム。
【請求項１２】
前記結合状態をユーザに示す出力デバイスをさらに備える、請求項１に記載のシステム。
【請求項１３】
前記出力デバイスが、前記結合状態に対応するアナログ出力を含む、請求項１２に記載のシステム。
【請求項１４】
前記測定回路がＲＣＬメータを含む、請求項１に記載のシステム。
【請求項１５】
前記測定回路が位相検出回路を含む、請求項１に記載のシステム。
【請求項１６】
前記電極が、結合評価および組織切除の両方に対して電気エネルギーを印加するように構成される、請求項１に記載のシステム。
【請求項１７】
結合評価のために電気エネルギーを印加する定電流源をさらに備える、請求項１に記載のシステム。
【請求項１８】
結合評価のために電気エネルギーを印加する可変電流源をさらに備える、請求項１に記載のシステム。
【請求項１９】
結合評価のために電気エネルギーを印加する定電圧源をさらに備える、請求項１に記載のシステム。
【請求項２０】
結合評価のために電気エネルギーを印加する可変電圧源をさらに備える、請求項１に記載のシステム。
【請求項２１】
組織切除のために電極・組織結合を評価する方法であって、
電極が標的組織に近づく際に前記電極と接地との間のインピーダンスを測定するステップと、
前記測定されたインピーダンスからリアクタンス成分を分離するステップと、
少なくとも部分的に、前記組織の実際のインピーダンスを確定することなく血液において確定される基線値に対するリアクタンス成分に基づいて、前記標的組織に対する結合状態を示すステップと
を含む方法。
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
格納ニードル注射器のための切断要素であって、前記格納ニードル注射器が、切断可能な遠位端部を有するプランジャと、エネルギ付与された状態で切断可能な支持体により保持されたばね付勢されるニードルとを有し、前記切断要素が、前記切断可能な遠位端部と前記切断可能な支持体とを切断可能である切断要素であり、
近位端部、遠位端部、これらの間の側壁であって長手軸を規定する側壁、及び通路を有する本体部を備え、前記遠位端部が、切断エッジと、遠位側に突出したテーパ状の切断歯とを含み、該切断歯が、遠位端と、遠位側で収束する複数のエッジとを有し、少なくとも一つの歯エッジが、前記プランジャの前記遠位端部及び前記支持体を切断するための鋭い側壁を有する切断要素。
【請求項２】
前記歯の前記鋭い側壁が傾斜エッジを含む請求項１記載の格納ニードル注射器のための切断要素。
【請求項３】
前記テーパ状の切断歯が切断歯の複数の切断歯を含む請求項１記載の格納ニードル注射器のための切断要素。
【請求項４】
それぞれの前記切断歯の前記遠位端が、前記長手軸に沿って測定されたとき、ほぼ同じ高さである請求項３記載の切断要素。
【請求項５】
前記切断歯の少なくとも二つの前記遠位端が、前記長手軸に沿って測定されたとき、異なる高さである請求項３記載の切断要素。
【請求項６】
前記切断歯の間の前記切断エッジのそれぞれが、前記長手軸に沿って測定されたとき、ほぼ同じ高さである請求項３記載の切断要素。
【請求項７】
前記切断歯の間の前記切断エッジの少なくとも二つが、前記長手軸に沿って測定されたとき、異なる高さである請求項３記載の切断要素。
【請求項８】
前記切断歯の前記遠位端の少なくとも二つが、前記長手軸に沿って測定されたとき、異なる高さであり、前記切断歯の間の前記切断エッジの少なくとも二つが、前記長手軸に沿って測定されたとき、異なる高さである請求項３記載の切断要素。
【請求項９】
前記切断歯の前記遠位側で収束する複数のエッジが、前記遠位端に遠位側に向けられたポイントを形成するように交わる請求項１記載の格納ニードル注射器のための切断要素。
【請求項１０】
前記複数の切断歯が、前記本体部の前記遠位端部周りに実質的に等間隔で離間される請求項３記載の格納ニードル注射器のための切断要素。
【請求項１１】
前記複数の歯が、前記本体部の前記遠位端部に沿って延びる凹状の切断エッジによって分離されている請求項３記載の格納ニードル注射器のための切断要素。
【請求項１２】
前記凹状の切断エッジが傾斜エッジを含む請求項１１記載の切断要素。
【請求項１３】
前記歯の両方のエッジが、切断のための鋭い側壁を有する請求項３記載の格納ニードル注射器のための切断要素。
【請求項１４】
前記歯の両方のエッジが、切断のための鋭い側壁を有し、前記複数の歯が、前記本体部の前記遠位端部に沿って延びる凹状の切断エッジによって分離されている請求項３記載の格納ニードル注射器のための切断要素。
【請求項１５】
前記本体部が円筒状である請求項１記載の格納ニードル注射器のための切断要素。
【請求項１６】
前記本体部が金属製である請求項１記載の格納ニードル注射器のための切断要素。
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
溶液を霧化して予備霧化粒子流を形成する工程で、前記溶液がクロモニック材料、ゲスト分子、およびキャリア流体を含む工程；
前記予備霧化粒子流を霧化して霧化粒子流を形成する工程；
前記霧化粒子流から前記キャリア流体の少なくとも一部を蒸発させて濃縮された霧化粒子流を形成する工程；および
前記濃縮された霧化粒子流から封入ゲスト分子を形成する工程で、前記ゲスト分子がクロモニック材料に封入されている工程を含む方法。
【請求項２】
第１アトマイザと流体連通する溶液リザーバを含み、前記溶液リザーバがクロモニック材料、ゲスト分子、およびキャリア流体を含み；
前記第１アトマイザと流体連通する第２アトマイザ；および
前記第２アトマイザと流体連通する乾燥チャンバを含む装置。
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
電極カテーテルを操作する際に使用される装置であって、
前記電極カテーテルの電極と患者との間の電気的結合のレベルを示す信号を受け取る入力インタフェースと、
前記信号を処理して、前記電極カテーテルの前記電極と前記患者との間の前記電気的結合のレベルを確定するプロセッサと、
前記電気的結合の確定されたレベルを示す出力をナビゲーションシステムに提供する出力インタフェースであって、前記ナビゲーションシステムが医療処置中に前記電極カテーテルの位置を監視するように構成される、出力インタフェースと
を備える装置。
【請求項２】
前記プロセッサが、インピーダンスの抵抗成分およびリアクタンス成分に関連する値の間の関係に基づいて、電極結合の異なるレベルを識別するように動作する、請求項１に記載の装置。
【請求項３】
前記プロセッサが、高結合に対応する少なくとも１つのレベルを含む電気的結合の複数のレベルを識別するように動作し、前記高結合が組織関数の可能性を示す、請求項１に記載の装置。
【請求項４】
前記プロセッサが、処置に対して不十分な結合、前記処置に対して十分な結合および高結合の各々を識別するように動作する、請求項１に記載の装置。
【請求項５】
前記出力モジュールが、前記ナビゲーションシステムの表示装置を介して前記電気的結合の確定されたレベルに関する情報を提供するように動作する、請求項１に記載の装置。
【請求項６】
前記出力モジュールが、前記ナビゲーションシステムの前記表示装置における前記電極のグラフィカル表現を変化させるように動作する、請求項５に記載の装置。
【請求項７】
前記出力モジュールが、前記ナビゲーションシステムの前記表示装置に、電気的結合対時間に関連する値を示す波形を表示するように動作する、請求項５に記載の装置。
【請求項８】
電極カテーテルを操作する際に使用される方法であって、
医療処置中に前記電極カテーテルの位置を監視するナビゲーションシステムを提供するステップと、
前記電極カテーテルの電極と患者との間の結合を示す電極・患者結合状態を評価する電極結合評価システムを確立するステップであって、前記評価システムが、前記電極結合状態の少なくとも２つの異なるレベルを識別するように構成されるステップと、
前記医療処置に関連して前記結合状態のレベルを識別するように前記電極結合評価システムを動作させるステップと、
前記ナビゲーションシステムを介して、前記結合状態の前記識別されたレベルを示す出力を提供するステップと
を含む方法。
【請求項９】
前記電極結合評価システムが、高結合に対応する少なくとも１つのレベルを含む前記結合状態の複数のレベルを識別するように動作し、前記高結合が組織貫通の可能性を示す、請求項８に記載の方法。
【請求項１０】
前記電極結合評価システムが、処置に対して不十分な結合、前記処置に対して十分な結合および高結合の各々を含む前記結合状態の複数のレベルを識別するように動作する、請求項８に記載の方法。
【請求項１１】
前記電極結合評価システムが、インピーダンス関連値に基づいて前記結合状態の前記レベルを識別するように動作する、請求項８に記載の方法。
【請求項１２】
前記電極結合評価システムが、インピーダンスの抵抗成分およびリアクタンス成分に関連する値の間の関係に基づいて、前記電極結合のレベルを識別するように動作する、請求項８に記載の方法。
【請求項１３】
前記動作させるステップが、所望の効果をもたらすように前記電極カテーテルを操作する前に前記結合状態の前記レベルを識別することを含む、請求項８に記載の方法。
【請求項１４】
前記動作させるステップが、前記電極カテーテルを用いる前記医療処置の過程の間に前記電極結合評価システムを動作させることを含む、請求項８に記載の方法。
【請求項１５】
前記提供するステップが、前記ナビゲーションシステムの表示装置を介して前記出力を伝達することを含む、請求項８に記載の方法。
【請求項１６】
前記提供するステップが、前記ナビゲーションシステムの前記表示装置における前記電極のグラフィカル表現を変化させることを含む、請求項１５に記載の方法。
【請求項１７】
前記提供するステップが、前記ナビゲーションシステムの前記表示装置に、前記結合状態対時間に関連する値を示す波形を表示することを含む、請求項１５に記載の方法。
【請求項１８】
電極と、
前記電極に関連するカテーテルと、
医療処置中に前記電極の位置を監視する際に使用されるナビゲーションシステムと、
信号情報を受け取り、前記電極と患者との間の電気的結合のレベルを確定するプロセッサであって、さらに、前記ナビゲーションシステムが前記電気的結合のレベルの指示を提供することができるように情報を前記ナビゲーションシステムに送出するように構成される、プロセッサと
を備える、電極カテーテルシステムであって、
前記ナビゲーションシステムがディスプレイを備え、前記ナビゲーションシステムの前記ディスプレイ装置が前記電気的結合のレベルの前記指示を提供するように構成される、電極カテーテルシステム。
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
少なくとも１つの多官能性イソシアネートと組み合わせたイソシアネート官能性ポリアルキレンオキシドと、
複数の第一級アミンを有するポリアミノ官能性化合物と、
を含む生体適合性のマクロマー組成物であって、
該イソシアネート官能性ポリアルキレンオキシドがペンダント型ポリアルキレンオキシド基を有する生体適合性のマクロマー組成物。
【請求項２】
前記イソシアネート官能性ポリアルキレンオキシドが式
Ｒ−（ＮＣＯ）ｚ  （Ｉ）
であり、ここで、ｚ≧１であり、Ｒがポリアルキレンオキシド類、ラクチド結合を有するポリエチレングリコール類、およびポリエチレンオキシドとポリプロピレンオキシドとの共重合体からなる群より選択される、請求項１に記載の生体適合性のマクロマー組成物。
【請求項３】
ｚが約２から約８であり、Ｒがポリエチレングリコールである、請求項２に記載の生体適合性のマクロマー組成物。
【請求項４】
前記イソシアネート官能性ポリアルキレンオキシドの前記ポリアルキレンオキシドがメトキシポリエチレングリコールを含む、請求項１に記載の生体適合性のマクロマー組成物。
【請求項５】
少なくとも１つの前記多官能性イソシアネートがジイソシアネート、トリイソシアネートおよびそれらの組み合わせからなる群より選択される、請求項１に記載の生体適合性のマクロマー組成物。
【請求項６】
少なくとも１つの前記多官能性イソシアネートがトルエンジイソシアネート、キシリレンジイソシアネート、ビスフェニレンジイソシアネート、４，４’−オキシビス（フェニルイソシアネート）、リジンジイソシアネート、２，４，６−トリメチル−１，３−フェニレンジイソシアネート、ナフチレンジイソシアネート、ジフェニルメタンジイソシアネート、トリメチレンジイソシアネート、テトラメチレンジイソシアネート、ペンタメチレンジイソシアネート、ヘキサメチレンジイソシアネート、エチルエチレンジイソシアネート、トリメチルヘキサンジイソシアネート、ヘプタンメチレンジイソシアネート、ブタンジイソシアネートおよびそれらの組み合わせからなる群より選択されたジイソシアネートである、請求項１に記載の生体適合性のマクロマー組成物。
【請求項７】
少なくとも１つの前記多官能性イソシアネートがトリフェニルメタントリイソシアネート、トリス（イソシアナトフェニル）チオホスフェート、リジンエステルトリイソシアネート、１，６，１１−ウンデカントリイソシアネート、１，３，６−ヘキサメチレントリイソシアネート、１，８−ジイソシアナト−４−イソシアナトメチルオクタン、ビシクロヘプタントリイソシアネートおよびそれらの組み合わせからなるからなる群より選択されたトリイソシアネートである、請求項１に記載の生体適合性のマクロマー組成物。
【請求項８】
複数の第一級アミンを有する前記ポリアミノ官能性化合物がエチレンジアミン、ヘキサメチレンジアミン、リジン、ジエチレントリアミン、トリエチレンテトラミン、テトラエチレンペンタミン、ビスヘキサメチレントリアミン、Ｎ，Ｎ’−ビス（３−アミノプロピル）−１，２−エタンジアミン、Ｎ−（３−アミノプロピル）−１，３−プロパンジアミン、Ｎ−（２−アミノエチル）−１，３プロパンジアミン、Ｎ−（３−アミノプロピル）−１，４−ブタンジアミン、Ｎ，Ｎ’−ビス（３−アミノプロピル）−１，４−ブタンジアミン、シクロヘキサンジアミン、シクロヘキサンジアミンの異性体、４，４’−メチレンビスシクロヘキサンアミン、４’４’−メチレンビス（２−メチルシクロヘキサンアミン）、トルエンジアミン、フェニレンジアミン、イソホロンジアミン、フェナルキレンポリアミン、ポリオキシアルキレンアミンおよびポリペプチドからなる群より選択される、請求項１に記載の生体適合性のマクロマー組成物。
【請求項９】
前記イソシアネート官能性ポリアルキレンオキシドが分解可能な結合を含む、請求項１に記載の生体適合性のマクロマー組成物。
【請求項１０】
前記生体適合性のマクロマー組成物が生物学的に活性な因子を含む、請求項１に記載の生体適合性のマクロマー組成物。
【請求項１１】
前記生体適合性のマクロマー組成物が薬剤を含む、請求項１に記載の生体適合性のマクロマー組成物。
【請求項１２】
前記生体適合性のマクロマー組成物の分解速度を増大させる、酵素をさらに含む、請求項１に記載の生体適合性のマクロマー組成物。
【請求項１３】
創傷を閉鎖するための請求項１に記載の生体適合性のマクロマー組成物であって、該組成物は、該創傷に塗布されて硬化し、それによって該創傷を閉鎖することを特徴とする、組成物。
【請求項１４】
前記創傷が外科的切開である、請求項１３に記載の組成物。
【請求項１５】
動物組織の空隙を充填するための請求項１に記載の生体適合性のマクロマー組成物であって、該組成物は、該空隙に塗布されて硬化し、それによって該空隙を充填することを特徴とする、組成物。
【請求項１６】
動物組織の表面に医療デバイスを接着するための請求項１に記載の生体適合性のマクロマー組成物であって、該組成物は、該医療デバイス、該表面またはその両方に塗布され、
該デバイス、生体適合性のマクロマー組成物および表面が互いに接触され、そして
該生体適合性のマクロマー組成物が硬化され、それによって該デバイスと表面を互いに接着することを特徴とする、組成物。
【請求項１７】
前記医療デバイスがインプラントである、請求項１６に記載の組成物。